(57)【要約】  情報処理装置（５１０）は、映像表示装置（５２０）に送信する画像データから表示する映像を取得する取得部（５１１）と、取得された映像を記憶する記憶部（５１２）と、映像表示装置（５２０）に画像データを送信する送信部（５１３）と、映像表示装置（５２０）から映像を表示したことに応じて送信される表示完了通知を受信する受信部（５１４）と、受信部（５１４）で受信した表示完了通知に対応する映像を記憶部（５１２）から読み出して表示する表示部（５１５）とを有する。
2020250365.tif 000002
【特許請求の範囲】
【請求項１】
映像表示装置に送信する画像データから表示する映像を取得する取得部と、
前記取得された映像を記憶する記憶部と、
前記映像表示装置に画像データを送信する送信部と、
前記映像表示装置から前記映像を表示したことに応じて送信される表示完了通知を受信する受信部と、
前記受信部で受信した表示完了通知に対応する映像を前記記憶部から読み出して表示する表示部と
を有する情報処理装置。
【請求項２】
前記表示部は、前記映像表示装置に送信する映像を表示するとともに、前記表示完了通知に対応する映像を表示する請求項１に記載の情報処理装置。
【請求項３】
前記取得部は、前記映像表示装置が表示する解像度に応じたスケーリングをする前の画像データから映像を取得する請求項１又は２に記載の情報処理装置。
【請求項４】
前記取得された映像の表示サイズを縮小する画像処理部を有し、
前記表示部は、表示完了通知を受信したことに応じて前記縮小された映像を表示する請求項１乃至３の何れかに記載の情報処理装置。
【請求項５】
前記取得部は、定められたタイミング毎に映像を取得し、
前記受信部は、前記映像表示装置において表示された映像信号の映像を特定する識別情報を含む表示完了通知を受信し、
前記表示部は、前記識別情報に対応する映像を前記記憶部から読み出して表示する請求項１乃至４の何れかに記載の情報処理装置。
【請求項６】
前記映像表示装置は、
前記情報処理装置の送信部から送信される画像データを受信する受信部と、
前記情報処理装置から受信した画像データに基づく映像を表示する表示部と、
前記映像を表示したことに応じて前記情報処理装置に表示完了通知を送信する送信部とを有しており、
前記情報処理装置の受信部は、前記映像表示装置の前記送信部から送信される表示完了通知を受信する
請求項１から請求項５のうちいずれか１項に記載の情報処理装置。
【請求項７】
情報処理装置からの画像データを受信する受信部と、
前記情報処理装置から受信した画像データに基づく映像を表示する表示部と、
前記映像を表示したことに応じて前記情報処理装置に表示完了通知を送信する送信部と
を有する映像表示装置。
【請求項８】
前記情報処理装置は、
前記映像表示装置に送信する画像データから表示する映像を取得する取得部と、
前記取得された映像を記憶する記憶部と、
前記映像表示装置に画像データを送信する送信部と、
前記映像表示装置から前記映像を表示したことに応じて送信される表示完了通知を受信する受信部と、
前記受信部で受信した表示完了通知に対応する映像を前記記憶部から読み出して表示する表示部とを有しており、
前記映像表示装置の受信部は、前記情報処理装置の送信部から送信される画像データを受信し、
前記映像表示装置の送信部は、前記情報処理装置の受信部に対して前記表示完了通知を送信する
請求項７に記載の映像表示装置。
【請求項９】
情報処理装置と、前記情報処理装置からの映像を表示する映像表示装置とを備えた映像表示システムであって、
前記情報処理装置は、
前記映像表示装置に送信する画像データから表示する映像を取得する取得部と、
前記取得された映像を記憶する記憶部と、
前記映像表示装置に画像データを送信する第１送信部と、
前記映像表示装置から前記映像を表示したことに応じて送信される表示完了通知を受信する第１受信部と、
受信した表示完了通知に対応する映像を前記記憶部から読み出して表示する第１表示部とを有し、
前記映像表示装置は、
前記情報処理装置からの画像データを受信する第２受信部と、
前記情報処理装置から受信した画像データに基づく映像を表示する第２表示部と、
前記映像を表示したことに応じて前記情報処理装置に表示完了通知を送信する第２送信部とを有する
ようにした映像表示システム。
【請求項１０】
情報処理装置から画像データを転送して映像表示装置で表示する際に、前記情報処理装置で行われる画像表示方法であって、
前記映像表示装置に送信する画像データから表示する映像を取得する工程と、
前記取得された映像を記憶部に記憶する工程と、
前記映像表示装置に画像データを送信する工程と、
前記映像表示装置から前記映像を表示したことに応じて送信される表示完了通知を受信すると、受信した表示完了通知に対応する映像を前記記憶部から読み出して表示する工程と
を含むようにした画像表示方法。
【請求項１１】
情報処理装置から画像データを転送して映像表示装置で表示する際に、前記映像表示装置で行われる画像表示方法であって、
前記情報処理装置からの画像データを受信する工程と、
前記情報処理装置から受信した映像を表示する工程と、
前記映像を表示したことに応じて前記情報処理装置に表示完了通知を送信する工程と
を含むようにした画像表示方法。
【請求項１２】
情報処理装置から画像データを転送して映像表示装置で表示するようにした画像表示方法であって、
前記情報処理装置が前記映像表示装置に送信する画像データから表示する画像を取得する工程と、
前記情報処理装置が前記取得された画像を記憶部に記憶する工程と、
前記情報処理装置が前記映像表示装置に画像データを送信する工程と、
前記映像表示装置が前記情報処理装置からの画像データを受信する工程と、
前記映像表示装置が前記情報処理装置から受信した画像データに基づく映像を表示する工程と、
前記映像表示装置が前記映像を表示したことに応じて前記情報処理装置に表示完了通知を送信する工程と、
前記情報処理装置が前記表示完了通知を受信すると、受信した表示完了通知に対応する画像を前記記憶部から読み出して表示する工程と
を含む画像表示方法。
【請求項１３】
情報処理装置から画像データを転送して映像表示装置で表示する際に、前記情報処理装置において実行されるプログラムであって、
前記映像表示装置に送信する画像データから表示する映像を取得するステップと、
前記取得された映像を記憶部に記憶するステップと、
前記映像表示装置に画像データを送信するステップと、
前記映像表示装置から前記映像を表示したことに応じて送信される表示完了通知を受信すると、受信した表示完了通知に対応する映像を前記記憶部から読み出して表示するステップと
を含むプログラム。
【発明の詳細な説明】
【技術分野】
【０００１】
本発明は、映像表示システム、情報処理装置、映像表示装置、及び映像表示方法、プログラムに関する。
【背景技術】
【０００２】
情報処理装置と映像表示装置を無線ＬＡＮなどのネットワークで接続し、情報処理装置のアプリケーションプログラムを通じて、映像表示装置に画像を伝送し表示する技術がある（例えば特許文献１）。情報処理装置は、現在出力している映像を１枚の画像としてキャプチャし、映像表示装置で表示するための最適な解像度にスケーリングを行い、画像伝送に適する情報量に最適化するエンコード処理を実施した後、ネットワーク通信で画像データを映像表示装置に送信する。画像データを受信した映像表示装置は、画像データをデコードして復元し、映像表示処理を通じて、画像を表示する。
【先行技術文献】
【特許文献】
【０００３】
【特許文献１】特開２０１０−１４７９０５号公報
【発明の概要】
【発明が解決しようとする課題】
【０００４】
情報表示装置による画像のキャプチャから映像表示装置での画像表示までの一連の流れに処理時間を要するため、画像伝送により映像表示装置で表示される映像は、情報処理装置で出力されている映像よりも遅れて表示される。このため、発表者が情報処理装置から出力される映像を見ながらプレゼンテーションを行っている場合などに、聴講者に見えている映像、すなわち映像表示装置が表示している映像が分からず、発表者が説明している内容と映像表示装置が表示している内容が異なる場合がある。【０００５】
上述の課題を鑑み、本発明は、情報処理装置からの画像データを映像表示装置に転送して表示する際に、映像表示装置で表示されている映像の内容を情報処理装置側で把握することが可能な情報処理装置、映像表示装置、表示システム、表示方法及びプログラムを提供することを目的とする。
【課題を解決するための手段】
【０００６】
本発明の一態様に係る情報処理装置は、映像表示装置に送信する画像データから表示する映像を取得する取得部と、前記取得された映像を記憶する記憶部と、前記映像表示装置に画像データを送信する送信部と、前記映像表示装置から前記映像を表示したことに応じて送信される表示完了通知を受信する受信部と、前記受信部で受信した表示完了通知に対応する映像を前記記憶部から読み出して表示する表示部とを有する。【０００７】
本発明の一態様に係る映像表示装置は、情報処理装置からの画像データを受信する受信部と、前記情報処理装置から受信した画像データに基づく映像を表示する表示部と、前記映像を表示したことに応じて前記情報処理装置に表示完了通知を送信する送信部とを有する。【０００８】
本発明の一態様に係る映像表示システムは、情報処理装置と、前記情報処理装置からの映像を表示する映像表示装置とを備えた映像表示システムであって、前記情報処理装置は、前記映像表示装置に送信する画像データから表示する映像を取得する取得部と、前記取得された映像を記憶する記憶部と、前記映像表示装置に画像データを送信する第１送信部と、前記映像表示装置から前記映像を表示したことに応じて送信される表示完了通知を受信する第１受信部と、受信した表示完了通知に対応する映像を前記記憶部から読み出して表示する第１表示部とを有し、前記映像表示装置は、前記情報処理装置からの画像データを受信する第２受信部と、前記情報処理装置から受信した画像データに基づく映像を表示する第２表示部と、前記映像を表示したことに応じて前記情報処理装置に表示完了通知を送信する第２送信部とを有する。【０００９】
本発明の一態様に係る映像表示方法は、情報処理装置から画像データを転送して映像表示装置で表示する際に、前記情報処理装置側で行われる画像表示方法であって、前記映像表示装置に送信する画像データから表示する映像を取得する工程と、前記取得された映像を記憶部に記憶する工程と、前記映像表示装置に画像データを送信する工程と、前記映像表示装置から前記映像を表示したことに応じて送信される表示完了通知を受信すると、受信した表示完了通知に対応する映像を前記記憶部から読み出して表示する工程とを含む。【００１０】
本発明の一態様に係る映像表示方法は、情報処理装置から画像データを転送して映像表示装置で表示する際に、前記映像表示装置側で行われる画像表示方法であって、前記情報処理装置からの画像データを受信する工程と、前記情報処理装置から受信した映像を表示する工程と、前記映像を表示したことに応じて前記情報処理装置に表示完了通知を送信する工程とを含む。【００１１】
本発明の一態様に係る映像表示方法は、情報処理装置から画像データを転送して映像表示装置で表示するようにした画像表示方法であって、前記情報処理装置が前記映像表示装置に送信する画像データから表示する画像を取得する工程と、前記情報処理装置が前記取得された画像を記憶部に記憶する工程と、前記情報処理装置が、前記映像表示装置に画像データを送信する工程と、前記映像表示装置が前記情報処理装置からの画像データを受信する工程と、前記映像表示装置が前記情報処理装置から受信した画像データに基づく映像を表示する工程と、前記映像表示装置が前記映像を表示したことに応じて前記情報処理装置に表示完了通知を送信する工程と、前記情報処理装置が前記表示完了通知を受信すると、受信した表示完了通知に対応する画像を前記記憶部から読み出して表示する工程とを含む。【００１２】
本発明の一態様に係るプログラムは、情報処理装置から画像データを転送して映像表示装置で表示する際に、前記情報処理装置において実行されるプログラムであって、前記映像表示装置に送信する画像データから表示する映像を取得するステップと、前記取得された映像を記憶するステップと、前記映像表示装置に画像データを送信するステップと、前記映像表示装置から前記映像を表示したことに応じて送信される表示完了通知を受信すると、受信した表示完了通知に対応する映像を前記記憶部から読み出して表示するステップとを含むプログラムである。
【発明の効果】
【００１３】
本発明によれば、情報処理装置の表示部の一部に、映像表示装置に表示される映像と対応する映像が重畳表示される。これにより、映像表示装置で表示されている映像の内容を情報処理装置側で把握することができる。
【図面の簡単な説明】
【００１４】
【図１】本発明の実施形態に係る映像表示システムの概略構成図である。
【図２】本発明の実施形態に係る情報処理装置の表示部の説明図である。
【図３】本発明の実施形態に係る映像表示システムにおける情報処理装置及び映像表示装置の構成を示すブロック図である。
【図４】本発明の実施形態に係る情報処理装置での処理を示すフローチャートである。
【図５】本発明の実施形態に係る映像表示装置での処理を示すフローチャートである。
【図６Ａ】本発明の実施形態に係る映像表示システムでの画像表示処理の一例の説明図である。
【図６Ｂ】本発明の実施形態に係る映像表示システムでの画像表示処理の一例の説明図である。
【図６Ｃ】本発明の実施形態に係る映像表示システムでの画像表示処理の一例の説明図である。
【図６Ｄ】本発明の実施形態に係る映像表示システムでの画像表示処理の一例の説明図である。
【図７Ａ】本発明の実施形態に係る映像表示システムでの画像表示処理の他の例の説明図である。
【図７Ｂ】本発明の実施形態に係る映像表示システムでの画像表示処理の他の例の説明図である。
【図７Ｃ】本発明の実施形態に係る映像表示システムでの画像表示処理の他の例の説明図である。
【図７Ｄ】本発明の実施形態に係る映像表示システムでの画像表示処理の他の例の説明図である。
【図８】本発明の実施形態に係る映像表示システムにおいて表示する映像を連続的に切り替える場合の処理の説明図である。
【図９】本発明による情報処理装置の基本構成を示す概略ブロック図である。
【発明を実施するための形態】
【００１５】
以下、本発明の実施の形態について図面を参照しながら説明する。図１は、本発明の実施形態に係る映像表示システム１の概略構成図である。
【００１６】
図１に示すように、本発明の実施形態に係る映像表示システム１は、情報処理装置１０と映像表示装置２０とから構成される。情報処理装置１０と映像表示装置２０とは、例えば無線ＬＡＮ（Ｌｏｃａｌ  Ａｒｅａ  Ｎｅｔｗｏｒｋ）３０を介して接続されている。情報処理装置１０としては、ＰＣ（Ｐｅｒｓｏｎａｌ  Ｃｏｍｐｕｔｅｒ）が用いられる。情報処理装置１０は、表示部１１を備えている。映像表示装置２０は、例えばプロジェクタであり、スクリーン２１に映像を表示する。
【００１７】
図２は、本発明の実施形態に係る情報処理装置１０の表示部１１の説明図である。図２に示すように、表示部１１には、メイン画像領域Ｐ１とサブ画像領域Ｐ２とが設けられる。サブ画像領域Ｐ２は、メイン画像領域Ｐ１の一部に重畳表示される領域である。
【００１８】
図１に示す本発明の実施形態に係る映像表示システム１は、例えばプレゼンテーションを行うのに用いられる。プレゼンテーションを行う際には、情報処理装置１０のアプリケーションプログラムが起動される。そして、情報処理装置１０から無線ＬＡＮ３０を介して、映像表示装置２０に画像データが転送される。このとき、情報処理装置１０は、映像表示装置２０に転送する映像をキャプチャし、映像表示装置２０で表示するための最適な解像度にスケーリングを行い、画像伝送に適する情報量に最適化するエンコード処理を実施した後、無線ＬＡＮネットワーク３０を介して、映像表示装置２０に送信する。画像データを受信した映像表示装置２０は、画像データをデコードして復元し、映像表示処理を通じて、スクリーン２１に映像を表示する。また、情報処理装置１０の表示部１１のメイン画像領域Ｐ１には、映像表示装置２０に転送した画像データに基づく映像が表示される。
【００１９】
ここで、発表者がプレゼンテーションに用いる映像を切り替えたとする。このとき、情報処理装置１０の表示部１１のメイン画像領域Ｐ１の映像は、直ちに新たな映像に更新される。これに対して、映像表示装置２０のスクリーン２１に投射される映像は、一連の流れの処理時間後に更新される。このため、情報処理装置１０の表示部１１のメイン画像領域Ｐ１に表示される映像の内容と、映像表示装置２０のスクリーン２１に表示される映像の内容とが一致しないことがある。
【００２０】
そこで、本実施形態では、さらに、映像表示装置２０は、映像の表示が完了すると、情報処理装置１０に表示完了通知を送信する。情報処理装置１０は、表示完了通知を受信すると、キャプチャした映像を縮小して、表示部１１のサブ画像領域Ｐ２に重畳表示する。これにより、情報処理装置１０の表示部１１のサブ画像領域Ｐ２には、映像表示装置２０のスクリーン２１に表示される映像と対応する映像が表示される。プレゼンテーションを行っている発表者は、表示部１１のサブ画像領域Ｐ２に表示されている映像を確認することで、映像表示装置２０のスクリーン２１に表示されている映像の内容が分かる。これにより、発表者は、聴講者が見ている映像に即して、説明を行うことができる。
【００２１】
なお、この例では、情報処理装置１０としてＰＣを用いているが、情報処理装置１０はＰＣに限定されるものではない。また、この例では、映像表示装置２０としてプロジェクタを用いているが、映像表示装置２０はプロジェクタに限定されるものではない。また、この例では、情報処理装置１０と映像表示装置２０とを無線ＬＡＮ３０で接続しているが、情報処理装置１０と映像表示装置２０との接続は、無線ＬＡＮに限定されるものではない。
【００２２】
図３は、本発明の実施形態に係る映像表示システム１における情報処理装置１０及び映像表示装置２０の構成を示すブロック図である。図３に示すように、情報処理装置１０は、中央処理装置１０１と、記憶部１０２と、通信部１０３と、表示部１１と、ユーザインターフェース部１０５とを備えている。
【００２３】
中央処理装置１０１は、ＣＰＵ（Ｃｅｎｔｒａｌ  Ｐｒｏｃｅｓｓｉｎｇ  Ｕｎｉｔ）等からなり、記憶部１０２に記憶されているプログラムに基づいて処理を行う。本実施形態では、中央処理装置１０１は、プレゼンテーション用のアプリケーションプログラムを実行し、所望の映像を表示部１１のメイン画像領域Ｐ１に表示する処理を行う。また、中央処理装置１０１は、表示部１１に映し出す映像をキャプチャするとともに、表示部１１に映し出す映像の画像データを、映像表示装置２０の解像度に応じてスケーリングし、エンコードして、映像表示装置２０に送信する処理を行う。なお、キャプチャは、１枚の画像を取り込んで保存することを意味する。また、中央処理装置１０１は、映像表示装置２０から表示完了通知を受信すると、キャプチャした映像を縮小して表示部１１のサブ画像領域Ｐ２に表示する処理を行う。中央処理装置１０１は、映像表示装置２０に送信する画像データから映像を取得（キャプチャ）する取得部として機能する。また、中央処理装置１０１は、取得された画像の表示サイズを縮小する画像処理部として機能する。
【００２４】
記憶部１０２は、ＲＯＭ、ＲＡＭ、ＨＤＤやＳＳＤ等、各種のメモリからなる。記憶部１０２は、記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＡＭ（Ｒａｎｄｏｍ  Ａｃｃｅｓｓ  ｒｅａｄ／ｗｒｉｔｅ  Ｍｅｍｏｒｙ）、ＲＯＭ（Ｒｅａｄ  Ｏｎｌｙ  Ｍｅｍｏｒｙ）、またはこれらの記憶媒体の任意の組み合わせによって構成される。本実施形態では、記憶部１０２は、オペレーティングシステムやプレゼンテーションのためのアプリケーションプログラムを記憶する。また、記憶部１０２は、表示する映像をキャプチャして保存する。また、記憶部１０２は、画像データのスケーリングやエンコードの際の一時記憶領域として用いられる。
【００２５】
通信部１０３は、映像表示装置２０の通信部２０３との間で、無線ＬＡＮによるデータの送受信を行う。本実施形態では、通信部１０３は、映像表示装置２０に画像データを送信する。また、通信部１０３は、映像表示装置２０から映像信号の表示を完了したことに応じて送信される表示完了通知を受信する。
【００２６】
表示部１１は、液晶駆動回路と液晶表示パネルを有しており、液晶駆動回路は、中央処理装置１０１から出力された映像信号に応じて液晶表示パネルを駆動させる駆動信号を生成し、液晶表示パネルに出力する。液晶表示パネルは、液晶駆動回路から出力される駆動信号に応じて各画素の素子を駆動することで画像データに応じた映像を表示する。
【００２７】
ユーザインターフェース部１０５は、キーボードやマウス等からなる。ユーザインターフェース部１０５は、ユーザの入力操作を受け付け、中央処理装置１０１に出力する。中央処理装置１０１は、ユーザインターフェース部１０５からの入力に応じて、各種の処理を行う。
【００２８】
映像表示装置２０は、中央処理装置２０１と、記憶部２０２と、通信部２０３と、表示部２０４とを備えている。
【００２９】
中央処理装置２０１は、ＣＰＵ等からなり、記憶部２０２に記憶されているプログラムに基づいて処理を行う。本実施形態では、中央処理装置２０１は、情報処理装置１０から受信した画像データをデコードして、表示部２０４によりスクリーン２１に表示する処理を行う。また、中央処理装置２０１は、情報処理装置１０から受信した画像データの表示処理が完了すると、情報処理装置１０に表示完了通知を送信する処理を行う。
【００３０】
記憶部２０２は、ＲＯＭ、ＲＡＭ、ＨＤＤやＳＳＤ等、各種のメモリからなる。記憶部２０２は、記憶媒体、例えば、ＨＤＤ、フラッシュメモリ、ＥＥＰＲＯＭ、ＲＡＭ、ＲＯＭ、またはこれらの記憶媒体の任意の組み合わせによって構成される。本実施形態では、記憶部２０２は、画像データの解像度変換や、画像データをデコードする際の一時記憶領域として用いられる。
【００３１】
通信部２０３は、情報処理装置１０の通信部１０３との間で、無線ＬＡＮによるデータの送受信を行う。本実施形態では、通信部２０３は、情報処理装置１０からの画像データを受信する。また、通信部２０３は、情報処理装置１０に表示完了通知を送信する。
【００３２】
表示部２０４は、液晶駆動回路と、液晶パネルと、投射ランプと、投射レンズを有し、液晶プロジェクタを構成している。液晶駆動回路は、中央処理装置２０１から出力された映像信号に応じて液晶パネルを駆動させる駆動信号を生成し、液晶パネルに出力する。液晶パネルは、液晶駆動回路から出力される駆動信号に応じて各画素の素子を駆動する。投射ランプは、液晶パネルに投射光を照射する。投射レンズは、投射ランプから照射され、液晶パネルを介された投射光を、スクリーン２１に集光させる。
【００３３】
なお、表示部２０４は、液晶プロジェクタの構成に限らず、ＤＬＰ（Ｄｉｇｉｔａｌ  Ｌｉｇｈｔ  Ｐｒｏｃｅｓｓｉｎｇ）プロジェクタ等、他の構成のプロジェクタとしてもよい。また、表示部２０４は、プロジェクタに限らず、液晶ディスプレイ等、他の形式の表示部で合ってもよい。
【００３４】
図４は、本発明の実施形態に係る情報処理装置１０での処理を示すフローチャートである。図５は、本発明の実施形態に係る映像表示装置２０での処理を示すフローチャートである。
【００３５】
（ステップＳ１０１）図４において、情報処理装置１０の中央処理装置１０１は、表示部１１に映し出している画像の転送処理を開始して、処理をステップＳ１０２に進める。
【００３６】
（ステップＳ１０２）中央処理装置１０１は、表示部１１に表示している映像をキャプチャして記憶部１０２に記憶し、処理をステップＳ１０３に進める。
【００３７】
（ステップＳ１０３）中央処理装置１０１は、記憶部１０２にキャプチャした映像の画像データに対して、スケーリング処理とエンコード処理を行い、処理をステップＳ１０４に進める。
【００３８】
（ステップＳ１０４）中央処理装置１０１は、スケーリング処理及びエンコード処理を行った画像データを映像表示装置２０へ送信して、処理をステップＳ１０５に進める。
【００３９】
（ステップＳ１０５）中央処理装置１０１は、通信部１０３が映像表示装置２０から表示完了通知を受信したか否かを判定する。中央処理装置１０１は、表示完了通知を受信していなければ（ステップＳ１０５：Ｎｏ）、処理をステップＳ１０５に戻し、表示完了通知を受信するまで待機する。表示完了通知を受信したら（ステップＳ１０５：Ｙｅｓ）、処理をステップＳ１０６に進める。
【００４０】
情報処理装置１０は、表示完了通知を受信していなければ（ステップＳ１０５：Ｎｏ）、表示完了通知を受信するまで待機状態となる。
【００４１】
映像表示装置２０側では、情報処理装置１０からの画像データを受信を行っている。ステップＳ１０４で、情報処理装置１０が映像表示装置２０に画像データを送信すると、図５におけるステップＳ２０１に処理が進められる。
【００４２】
（ステップＳ２０１）図５において、映像表示装置２０の中央処理装置２０１は、通信部２０３により、情報処理装置１０からの画像データを受信すると、処理をステップＳ２０２に進める。
【００４３】
（ステップＳ２０２）中央処理装置２０１は、情報処理装置１０から転送されてきた画像データをデコードして、処理をステップＳ２０３に進める。
【００４４】
（ステップＳ２０３）中央処理装置２０１は、情報処理装置１０から転送されてきた画像データを表示部２０４に表示するための処理を実行して、処理をステップＳ２０４に進める。
【００４５】
（ステップＳ２０４）中央処理装置２０１は、表示処理が完了したか否かを判定し、表示処理が完了していなければ（ステップＳ２０４：Ｎｏ）、処理をステップＳ２０３にリターンし、画像データを表示部２０４に表示するための処理を繰り返し実行し、表示処理が完了していれば（ステップＳ２０４：Ｙｅｓ）、処理をステップＳ２０５に進める。
【００４６】
（ステップＳ２０５）表示処理が完了したら、中央処理装置２０１は情報処理装置１０に表示完了通知を送信する処理を行う。
【００４７】
図４に示したように、映像表示装置２０側では、ステップＳ１０４で映像表示装置２０に画像データを送信すると、ステップＳ１０５で映像表示装置２０からの表示完了通知を待機している。ステップＳ１０５で、映像表示装置２０から情報処理装置１０に転送完了通知が送信されると、情報処理装置１０の中央処理装置１０１は、ステップＳ１０５で、表示完了通知を受信したと判定する。
【００４８】
（ステップＳ１０６）中央処理装置１０１は、映像表示装置２０からの表示完了通知を受信したら、ステップＳ１０２でキャプチャした映像を記憶部１０２から読み出し、表示サイズを縮小して、表示部１１のサブ画像領域Ｐ２に重畳表示して、処理を終了する。
【００４９】
図６Ａ〜図６Ｄは、本発明の実施形態に係る映像表示システムでの画像表示処理の一例の説明図である。ここでは、情報処理装置１０の表示部１１と映像表示装置２０のスクリーン２１とに「Ａ」の文字の映像を表示させるとする。情報処理装置１０のユーザインターフェース部１０５の操作により、情報処理装置１０に「Ａ」の文字を表示させる指示を与えると、図６Ａに示すように、表示部１１のメイン画像領域Ｐ１には、「Ａ」の文字の映像が直ちに表示される。このとき、映像表示装置２０のスクリーン２１には、画像は表示されていない。
【００５０】
図４におけるステップＳ１０２に示したように、情報処理装置１０側では、表示部１１に表示されている「Ａ」の文字の映像がキャプチャされ、ステップＳ１０３で示したように、転送画像のスケーリング処理とエンコード処理が行われる。そして、ステップＳ１０４で示したように、この画像データが情報処理装置１０から映像表示装置２０に送信される。これにより、図６Ｂに示すように、「Ａ」の文字の映像の画像データがエンコードされて、情報処理装置１０から映像表示装置２０に送信される。
【００５１】
図５におけるステップＳ２０１に示したように、映像表示装置２０側では、情報処理装置１０からの画像データを受信する。図５におけるステップＳ２０２からステップＳ２０４で示したように、映像表示装置２０側では、情報処理装置１０からの画像データを受信すると、この画像データをデコードして、画像をスクリーン２１に表示するための処理を行う。これにより、図６Ｂに示すように、スクリーン２１には、「Ａ」の文字の映像が表示されていく。
【００５２】
図５におけるステップＳ２０４及びステップＳ２０５に示したように、映像表示装置２０は、スクリーン２１への画像の表示が完了すると、図６Ｃに示すように、情報処理装置１０に表示完了通知を送信する。
【００５３】
図４におけるステップＳ１０５に示したように、情報処理装置１０は、映像表示装置２０からの表示完了通知を待機している。そして、図４におけるステップＳ１０５及びステップＳ１０６に示したように、情報処理装置１０は表示完了通知を受信すると、キャプチャしていた画像を表示部１１のサブ画像領域Ｐ２に表示する。これにより、図６Ｄに示すように、表示部１１のサブ画像領域Ｐ２には、「Ａ」の文字の映像が表示される。情報処理装置１０を操作している発表者は、サブ画像領域Ｐ２の「Ａ」の文字の映像を見ることで、映像表示装置２０に「Ａ」の文字の映像が表示されたことを認識できる。
【００５４】
図７Ａ〜図７Ｄは、本発明の実施形態に係る映像表示システムでの画像表示処理の他の例の説明図である。ここでは、前回までに、情報処理装置１０の表示部１１と映像表示装置２０のスクリーン２１とに「Ａ」の文字の映像が表示されているとする。そして、情報処理装置１０のユーザインターフェース部１０５の操作により、情報処理装置１０に、「Ａ」の文字から「Ｂ」の文字に切り替える指示が与えられたとする。
【００５５】
図７Ａに示すように、表示部１１のメイン画像領域Ｐ１の表示は、「Ａ」の文字の映像から「Ｂ」の文字の映像に直ちに切り替えられる。このとき、映像表示装置２０のスクリーン２１の画像は、「Ａ」の文字の映像のままである。また、表示部１１のサブ画像領域Ｐ２の表示は「Ａ」の文字の映像のままである。
【００５６】
図４におけるステップＳ１０２に示したように、情報処理装置１０側では、表示部１１に表示されている「Ｂ」の文字の映像がキャプチャされ、ステップＳ１０３で示したように、転送画像のスケーリング処理とエンコード処理が行われる。そして、ステップＳ１０４で示したように、この画像データが情報処理装置１０から映像表示装置２０に送信される。これにより、図７Ｂに示すように、「Ｂ」の文字の映像の画像データがエンコードされて、情報処理装置１０から映像表示装置２０に送信される。
【００５７】
図５におけるステップＳ２０１に示したように、映像表示装置２０側では、情報処理装置１０からの画像データを受信する。図５におけるステップＳ２０２からステップＳ２０４で示したように、映像表示装置２０側では、情報処理装置１０からの画像データを受信すると、この画像データをデコードして、画像をスクリーン２１に表示するための処理を行う。これにより、図７Ｂに示すように、スクリーン２１には、「Ｂ」の文字の映像が表示されていく。
【００５８】
図５におけるステップＳ２０４及びステップＳ２０５に示したように、映像表示装置２０は、スクリーン２１への画像の表示が完了すると、図７Ｃに示すように、情報処理装置１０に表示完了通知を送信する。
【００５９】
図４におけるステップＳ１０５に示したように、情報処理装置１０は、映像表示装置２０からの表示完了通知を待機している。そして、図４におけるステップＳ１０５及びステップＳ１０６に示したように、情報処理装置１０は表示完了通知を受信すると、キャプチャしていた画像を表示部１１のサブ画像領域Ｐ２に表示する。これにより、図７Ｄに示すように、表示部１１のサブ画像領域Ｐ２の映像は「Ａ」の文字の映像から「Ｂ」の文字の映像に切り替えられる。情報処理装置１０を操作している発表者は、サブ画像領域Ｐ２の「Ｂ」の文字の映像を見ることで、映像表示装置２０に「Ｂ」の文字の映像が表示されたことを認識できる。
【００６０】
以上説明したように、上述のステップＳ１０１からステップＳ１０６の処理及びステップＳ２０１からステップＳ２０５の処理により、情報処理装置１０の表示部１１を見ている発表者は、サブ画像領域Ｐ２の表示画像により、そのとき映像表示装置２０のスクリーン２１に表示されている映像を知ることが可能となる。
【００６１】
なお、ステップＳ１０６において情報処理装置１０のサブ画像領域Ｐ２に重畳して表示する画像は、ステップＳ１０２で取り込む対象外としてもよく、その場合は、表示部１１に表示されている映像を静止画として取り込んだものを使って、それ以降の処理を実施する。
【００６２】
また、ステップＳ１０６でサブ画像領域Ｐ２に重畳する映像は、ステップＳ１０２の時点で取り込み完了しているため、情報処理装置１０は、ステップＳ２０２からステップＳ２０４で映像表示装置２０が各処理を実行している間に並行して、サブ画像領域Ｐ２に重畳するための映像を準備する処理を実行していてもよい。
【００６３】
図８は、本発明の実施形態に係る映像表示システムにおいて表示する映像を連続的に切り替える場合の処理の説明図である。図８に示すように、最初のフレームＦ１の映像では、情報処理装置１０側では、期間Ｔ１１で映像のキャプチャを行い、期間Ｔ１２でスケーリング及びエンコードを行い、期間Ｔ１３で情報処理装置１０から映像表示装置２０に映像に対応する画像データを転送する。映像表示装置２０側では、期間Ｔ１４で画像データのデコード及び表示処理を行い、期間Ｔ１５で映像表示装置２０から情報処理装置１０に表示完了通知を転送する。そして、情報処理装置１０は、表示完了通知を受信すると、期間Ｔ１６でキャプチャした映像をサブ画像領域Ｐ２に表示する。
【００６４】
これに続くフレームＦ２、Ｆ３、…の映像では、それまでのフレームの処理と並行して、定められたタイミングで映像のキャプチャを行う。つまり、フレームＦ２については、フレームＦ１の映像のキャプチャ期間Ｔ１１が終了したら直ちに、期間Ｔ２１で映像のキャプチャを行い、期間Ｔ２２でスケーリング及びエンコードを行い、期間Ｔ２３で情報処理装置１０から映像表示装置２０に画像データを転送する。さらに次のフレームＦ３については、フレームＦ２の映像のキャプチャ期間Ｔ２１が終了したら直ちに、期間Ｔ３１で映像のキャプチャを行い、期間Ｔ３２でスケーリング及びエンコードを行い、期間Ｔ３３で情報処理装置１０から映像表示装置２０に画像データを転送する。
【００６５】
映像表示装置２０は、期間Ｔ１４、Ｔ２４、Ｔ３４、…で、各フレームＦ１、Ｆ２、Ｆ３…のデコード処理を行い、期間Ｔ１５、Ｔ２５、Ｔ３５、…で、情報処理装置１０に表示完了通知を送信する。この表示完了通知に映像を特定する識別情報を含めることで、情報処理装置１０側では、どのフレームの映像の表示が完了したかを判定できる。情報処理装置１０側では、期間Ｔ１６、Ｔ２６、Ｔ３６、…で、各フレームＦ１、Ｆ２、Ｆ３…の映像を表示部１１のサブ画像領域Ｐ２に表示する。
【００６６】
なお、上述の実施形態では、情報処理装置１０と映像表示装置２０の間で画像伝送を行う場合を例に挙げて説明したが、映像表示装置２０の代わりに別の情報処理装置を用いて、情報処理装置間でビデオ通話を行う場合や、ビデオ会議システムを使って会議を行う場合など、相手が見ている表示デバイス上に、自分が送信した映像がどう映っているかを知るために用いることもできる。
【００６７】
また、伝送する画像は、必ずしも情報処理装置１０が表示している映像の取り込み画像である必要は無く、例えば情報処理装置１０に表示している映像とは別に、発表資料の画像のみを取り込み、それを映像表示装置２０７に伝送して表示する、という使用方法も考えられる。
【００６８】
図９は、本発明による情報処理装置の基本構成を示す概略ブロック図である。本発明による情報処理装置５１０は、取得部５１１と、記憶部５１２と、送信部５１３と、受信部５１４と、表示部５１５とを基本構成とする。
【００６９】
取得部５１１は、映像表示装置５２０に送信する画像データから表示する映像を取得する。記憶部５１２は、取得された映像を記憶する。送信部５１３は、映像表示装置５２０に画像データを送信する。受信部５１４は、映像表示装置５２０から映像を表示したことに応じて送信される表示完了通知を受信する。表示部５１５は、受信部５１４で受信した表示完了通知に対応する映像を記憶部５１２から読み出して表示する。
【００７０】
上述した実施形態における映像表示システム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００７１】
以上、この発明の実施形態について図面を参照して詳述してきたが、具体的な構成はこの実施形態に限られるものではなく、この発明の要旨を逸脱しない範囲の設計等も含まれる。
【符号の説明】
【００７２】
１０  情報処理装置
１１  表示部
２０  映像表示装置
２１  スクリーン
１０１，２０１  中央処理装置
１０２，２０２  記憶部
１０３，２０３  通信部
２０４  表示部
５１０  情報処理装置
５１１  取得部
５１２  記憶部
５１３  送信部
５１４  受信部
５１５  表示部
【図１】
2020250365.tif 000003
【図２】
2020250365.tif 000004
【図３】
2020250365.tif 000005
【図４】
2020250365.tif 000006
【図５】
2020250365.tif 000007
【図６Ａ】
2020250365.tif 000008
【図６Ｂ】
2020250365.tif 000009
【図６Ｃ】
2020250365.tif 000010
【図６Ｄ】
2020250365.tif 000011
【図７Ａ】
2020250365.tif 000012
【図７Ｂ】
2020250365.tif 000013
【図７Ｃ】
2020250365.tif 000014
【図７Ｄ】
2020250365.tif 000015
【図８】
2020250365.tif 000016
【図９】
2020250365.tif 000017
【国際調査報告】
2020250365.tif 000018
2020250365.tif 000019